(57)【要約】本発明は、容器の入口の内部に配置される管体形状の内部キャップの下端部の側面に排出口を有する下キャップである貯蔵部材と、内部キャップの内側に案内される添加剤コンテナとして機能するスライダーを有する開放部材と、スライダーの下端部を塞ぎ、上キャップの分離時に、内部キャップの下端部に固定される底面栓とを備える容器の栓において、スライダー５３６の内側に嵌着され、内側を塞ぐように機能する挿入部５５６と、スライダー５３６の下端部をシーリングするように挿入部５５６の下端部において側方に延びたシーリングリング５５１と、シーリングリング５５１の下方に延び、縮径するように少なくとも一箇所において長手方向にカットされた収縮誘導溝５５４を有する延長管５５７と、延長管５５７の外側において径方向外側に広がるように突出し、内部キャップの下端部の内側の係止突起５２６ｂの底面に係止するフック５５３とを備える容器の栓である。
2013535378.tif 000002
【特許請求の範囲】
【請求項１】
容器の入口の内部に配置される管体形状の内部キャップの下端部の側面に排出口を有する下キャップである貯蔵部材と、前記内部キャップの内側に案内される添加剤コンテナとして機能するスライダーを有する開放部材と、前記スライダーの下端部を塞ぎ、前記上キャップの分離時に、前記スライダーと分離される底面栓とを備える容器の栓において、
前記底面栓は、
前記スライダー５３６の端部の内側に嵌着されて内側を塞ぐように機能する挿入部５５６と、
前記スライダー５３６の下端部をシーリングするように前記挿入部５５６の端部の側面方向に延びたシーリングリング５５１と、
前記シーリングリング５５１の下方に延び、外面押圧時に縮径するように少なくとも一箇所において長手方向にカットされた収縮誘導溝５５４を有する延長管５５７と、
前記延長管５５７の外側において径方向外側に広がるように突出し、前記内部キャップ５２６の端部側の内側面から中央側に突出した係止突起５２６ｂの底面に係止するフック５５３と、を備えることを特徴とする容器の栓。
【請求項２】
前記内部キャップ５２６の前記係止突起５２６ｂの下方の部位に補助係止突起５２６ｃが設けられており、
前記延長管５５７における対応する部分には、前記補助係止突起５２６ｃに係止して固定力が増加するように作用する補助フック５５５が設けられていることを特徴とする請求項１に記載の容器の栓。
【請求項３】
前記補助係止突起５２６ｃの突出長さは、前記係止突起５２６ｂの突出長さより長く、前記フック６６３の突出長さは、前記補助フック５５５の突出長さより長いことを特徴とする請求項２に記載の容器の栓。
【請求項４】
前記挿入部５５６の外周面の上端部には、前記スライダー５３６の下端部の内側に圧入された状態での嵌着を可能とする湾曲部５５６ａが形成されていることを特徴とする請求項１または２に記載の容器の栓。
【請求項５】
前記挿入部５５６の上面には、排出される添加剤を側方に案内するように上方に突出した突出傾斜部５５６ｂが設けられていることを特徴とする請求項４に記載の容器の栓。
【請求項６】
前記シーリングリング５５１の上面と前記挿入部５５６との間には、一定の深さのシーリング溝５５２が設けられ、対応結合するスライダー５３６の下端部には、嵌着状態で結合するシーリング突輪部５３６ａが形成されていることを特徴とする請求項１または２に記載の容器の栓。
【請求項７】
前記内部キャップ５２６の端部には、前記係止突起５２６に固定される前記底面栓５５０が前記内部キャップ５２６から分離される時に容器本体の内部へ下降するのを防ぐブリッジ５２８が設けられていることを特徴とする請求項１または２に記載の容器の栓。
【請求項８】
容器の入口の内部に配置される管体形状の内部キャップの下端部の側面に排出口を有する下キャップである貯蔵部材と、前記内部キャップの内側に案内される添加剤コンテナとして機能するスライダーを有する開放部材と、前記スライダーの下端部を塞ぎ、前記上キャップの分離時に、前記スライダーと分離される底面栓とを備える容器の栓において、
前記底面栓は、
前記スライダー５３６の端部の内側に嵌着されて内側を塞ぐように機能する挿入部５５６と、
前記スライダー５３６の下端部をシーリングするように前記挿入部５５６の端部の側面方向に延びたシーリングリング５５１と、
前記挿入部５５６の上端部のエッジにおいて、前記挿入部５５６の径方向外側に広がる方向に斜めに突出した停止バー６００と、を備えることを特徴とする容器の栓。
【請求項９】
前記シーリングリング５５１の下方に延び、外面押圧時に縮径するように少なくとも一箇所において長手方向にカットされた収縮誘導溝５５４を有する延長管５５７と、
前記延長管５５７の外側において径方向外側に広がるように突出し、前記内部キャップ５２６の端部側の内側面から中央側に突出した係止突起５２６ｂの底面に係止するフック５５３と、をさらに備えることを特徴とする請求項８に記載の容器の栓。
【請求項１０】
前記内部キャップ５２６の端部には、前記係止突起５２６に固定される前記底面栓５５０が前記内部キャップ５２６から分離される時に下降するのを防ぐブリッジ５２８が設けられていることを特徴とする請求項９に記載の容器の栓。
【発明の詳細な説明】
【技術分野】
【０００１】
本発明は、容器の栓に関し、容器に結合する内部キャップを有する貯蔵部材と、貯蔵部材と結合し、添加剤収容コンテナとして機能するスライダーを有する上キャップである開放部材と、スライダーの下端部を塞いだ状態で組立て、使用時には内部キャップの下端部で係止突起に固定されてスライダーの添加物が容器の内部に添加される容器の栓において、スライダーを塞ぐ底面栓を上部が塞がった管体形状とし、側壁にシーリングリングとフックとで内部キャップの係止突起に固定結合し、最初の組立てを容易にするように、フック部分に係止突起に当接して組立てる時、外径が縮小するように機能する収縮誘導溝を設けて組立てられるようにすることで組立てを容易にし、フックの固定力で底面栓と内部キャップが分離されないように作用し、安全性を最大化した容器の栓に関する。
【０００２】
本発明は、また、容器の入口の内部に配置される管体形状の内部キャップの下端部の側面に排出口を有する下キャップである貯蔵部材と、内部キャップの内側に案内される添加剤コンテナとして機能するスライダーを有する開放部材と、スライダーの下端部を塞ぎ、上キャップの分離時に、スライダーと分離される底面栓と、を備える容器の栓において、
底面栓は、スライダー５３６の端部の内側に嵌着され、内側を塞ぐように機能する挿入部と、
スライダーの下端部をシーリングするように挿入部の端部の側面方向に延びたシーリングリングと、
挿入部の上端部のエッジにおいて、挿入部の径方向外側に広がる方向に斜めに突出した停止バーと、を備え、再使用を防止するようにした容器の栓に関する。
【背景技術】
【０００３】
一般的に、容器の栓は、単純な栓の機能から添加剤を添加して使用可能な栓に発展しつつある。このような例としては、ＰＣＴ公開パンフレット（ＷＯ２００５／０５１７７５号）が挙げられ、図１に関連された技術構成を示す分解斜視図、及び図２にその結合過程を説明する断面図で示し、図３にその結合状態の縦断面図が示され、図４に添加剤が添加される過程を示す断面図で示し、図５に添加剤が添加された後、分離された状態を示す断面図で示す。
【０００４】
容器の注入口の外周縁に雄ねじ５１２が大きく形成される注入口５１１を有する容器本体５１０と、注入口５１１の内側に分離可能に挿入される貯蔵部材５２０と、貯蔵部材５２０にねじ結合され、回転時に栓を分離させて添加物を放出すると同時に、予定された位置で貯蔵部材と干渉され、貯蔵部材５２０を注入口５１１から分離させる開放部材５３０とで構成される。
【０００５】
前記貯蔵部材５２０は、注入口５１１の開放端に構成される円筒状の端部プレート５２２と、この端部プレート５２２の外周縁から軸方向に延び、注入口５１１にねじ結合される雌ねじ５２４ａが形成されたメインキャップ５２４と、端部プレート５２２の内周縁から軸方向に延び、前記注入口５１１の内側に軸方向移動可能に挿入される内部キャップ５２６とが一体に構成される。内部キャップ５２６の下端部には、半径方向の内側に係止突起５２６ｂが突出して構成され、係止突起５２６ｂの内側に排出口５４０が形成されている。メインキャップ５２４の外周には、雄ねじ５２４ｂが形成され、端部プレート５２２の周縁部には、半径方向に拡張されて後述する開放部材の離脱を制限するストッパー５２２ａが一体に構成されている。
【０００６】
開放部材５３０は、円板型の仕上げプレート５３２と、仕上げプレート５３２の外側から軸方向に延び、前記メインキャップ５２４の雄ねじ５２４ｂにねじ結合される雌ねじ５３４ａが形成される上部キャップ５３４と、該上部キャップ５３４から離隔され、仕上げプレート５３２から軸方向に延び、内部キャップ５２６に挿入されるスライダー５３６とが一体に構成されている。
【０００７】
スライダー５３６の下端には、スライダーの内部を密閉する栓５４０が分離可能に結合されている。栓５４０は、下端部に前記係止突起５２６ｂに係止する係止溝５４２を形成するフック５４４が一体に構成される。また、栓５４０の上部には、スライダー５３６の下端部に形成されるシール溝５３６ｂと嵌合結合されるシール突起５４６が形成されている。
【０００８】
これを使用する時は、図２に示されるような初期状態で予め開放部材を裏返して上下が変わるようにした状態で、上部に露出されたスライダーに液状や粉末状の添加剤ａ１を満たし、予め栓をするためにシール溝５３６ｂとシール突起５４６が結合するようにした状態でさらに上下位置を変えて結合するようにしながら、図２のように順次に開放部材５３０を貯蔵部材５２０と結合させる。そして、フック５４４が係止突起５２６ｂに係止して図３のように固定されると、組立てが完了する。この場合、栓５４０は、フック５４４の先端部がテーパに構成されているため、係止突起５２６ｂをスムーズに通過し、係止溝５４２に係止して堅固に結合される。このような状態で開放部材５３０を回転させると、雄ねじ５１２と雌ねじ５２４ａの相互作用により開放部材５３０が上昇することとなる。この時、栓５４０は、係止突起５２６ｂにより移動が制限されるため、図４に示されるように、スライダー５３６が栓５４０から分離され、添加物が排出口５２６ａを通じて容器本体５１０の内部に投入される。
【０００９】
そして、続けて開放部材５３０を回転させると、雌ねじ５３４ａがストッパー５２２ａに係止されるようになるため、開放部材５３０の回転力は貯蔵部材５２０に伝達される。従って、貯蔵部材５２０は、メインキャップ５１２の雌ねじ５１２ａと注入口５１１の雄ねじ５１２の結合部が回転をなすようになり、図５に示されるように、貯蔵部材５２０と開放部材５３０が一体に注入口５１１から分離される。
【００１０】
このような構造は、結合が容易でシーリング性が良い長所はあるが、容器の内部に嵌着される内部キャップの内径部によって結合された状態をなすため、流通や殺菌のための熱処理時、形態の変形を招き、変形した場合、開放部材を分離した後、内容物を飲む時に内容物と共に内部キャップから離脱することもある。
【００１１】
また、栓をスライダーの下端部に結合して内部キャップの内端部に形成した係止突起と栓のフックが強制結合されることによって内部キャップにクラックが生じ、そのため、使用者が内容物を飲む時、栓が抜けて内容物と共に使用者ののどにかかる問題点がしばしばある。
【００１２】
また他の技術としては、図６ａ乃至図６ｃのように、容器本体５１０の入口内部に内部キャップ５２６が挿入固定され、内部キャップ５２６の底に栓５４０を有し、内部キャップ５２６の下端部の内側面に排出口５２６ａを有する貯蔵部材５２０と；
貯蔵部材５２０上に結合され、前記内部キャップの内径部に結合し、結合時、下端は栓５４０とシーリングし、添加材を収容するコンテナとして機能するスライダー５３６と、スライダー５３６と同軸で容器本体５１０の注入口５１１の外径部にねじ結合する上部キャップ５３４を有する開放部材５３０とを備える構成が日本国特開平２００６−４４６９１号及び韓国特許出願第１０−２００８−００３６３１９号で知られている。これは、図６ｃのように、開放部材５３０のスライダー５３６が上方に開放されるようにした後、添加剤ａ１を満たし、図６ｂに示す貯蔵部材５２０をやはり上下が変わるようにした状態で（図５の点線状態）、図６ｄのように実線状態で結合し、スライダー５３６の端部が栓５４０で塞がることとなる。
【００１３】
この状態で、さらに上下が反対となるようにして容器本体５１０に内容物を入れた後、容器本体５１０の注入口５１１にキャッピングを完了する。勿論、使用時には上部キャップ５３４部分を回してねじを外すと、スライダー５３６と栓５４０のシーリングが解除され、排出口５２６ａに添加剤ａ１が容器本体５１０の内部に排出され、添加物を容器の内容物に添加して飲めるようにする。勿論、この場合、開放部材５３０と貯蔵部材５２０は一体に分離される。そして、図１乃至図５と類似した部分は同一の符号で示し、これについての説明は省略する。
【００１４】
しかし、このような技術は、貯蔵部材５２０と開放部材５３０が容器本体から共に分離されるため、分離された状態で貯蔵部材５２０と開放部材５３０を相互分離させ、開放部材５３０に新たな添加剤を任意に入れて貯蔵部材５２０と再び結合した後、容器本体５１０の入口に再び結合すれば再使用が可能であるという大きな問題点を有する。
【発明の概要】
【発明が解決しようとする課題】
【００１５】
本発明は、これを解決しようとするものであって、本発明の目的は、容器に結合する内部キャップを有する貯蔵部材と、貯蔵部材と結合し、添加剤収容コンテナとして機能するスライダーを有する上キャップである開放部材と、スライダーの下端部を塞いだ状態で組立て、使用時には内部キャップの下端部で係止突起に固定された底面栓と結合及び分離によってスライダーの添加物が容器の内部に添加される容器の栓において、
スライダーを塞ぐ底面栓は、上部が塞がった管体形状で構成し、底面栓の側壁には、シーリングリングとフックを形成し、内部キャップの係止突起に固定結合するようにし、初期組立てを容易にするように、フック部分に係止突起に当接して組立てる時、外径が縮小するように機能する収縮誘導溝を設けて組立てを容易にし、フックの固定力で底面栓と内部キャップが分離されないように作用し、安全性を最大化した容器の栓を提供しようとするものである。
【００１６】
本発明の他の目的は、底面栓と内部キャップが底面栓の上下でフック結合する方式でなく、底面栓の延長管の側面で結合する方式で構成し、底面栓を管体形状で具現可能とし、材料を減らしてコスト節減を図ることができるようにし、挿入部の下端部の外側にはシーリング機能をするシーリングリングを設け、シーリング機能をしながら係止突起との上部結合を可能として、管体形状の底面栓方式であるにも拘わらず、シーリング性と結合力を増大させるようにする容器の栓を提供しようとするものである。
【００１７】
本発明の他の目的は、スライダーの端部の内側に嵌着され、内側を塞ぐように機能する挿入部の上端部のエッジには、挿入部の径方向外側に広がる方向に斜めに突出した停止バーを形成し、結合は押すことによって可能であり、分離時にはスライダーとの再結合を不可能とすることで再使用を防止するようにした容器の栓を提供しようとするものである。
【課題を解決するための手段】
【００１８】
このための本発明は、容器の入口部に結合し、入口の内部には管体形状の内部キャップを有し、内部キャップの下端部の側面には排出口を有する下キャップである貯蔵部材と、内部キャップの内側に案内される添加剤コンテナとして機能するスライダーを有し、貯蔵部材上で結合する上キャップである開放部材と、スライダーの下端部を塞ぎ、上キャップの分離時に、内部キャップの下端部に固定された底面栓とを備え；
底面栓は、スライダーの内側に嵌着され、内側を塞ぐように機能する挿入部と、
スライダーの下端部をシーリングするように挿入部の下端部の側面に延びたシーリングリングと、
シーリングリングの下方に延び、縮径するように少なくとも一箇所において長手方向にカットされた収縮誘導溝を有する延長管と、
延長管の外側において径方向外側に広がるように突出し、内部キャップの下端部の内側の係止突起の底面に係止するフックと、を備える容器の栓を提供する。
【００１９】
本発明は、また、容器の入口の内部に配置される管体形状の内部キャップの下端部の側面に排出口を有する下キャップである貯蔵部材と、内部キャップの内側に案内される添加剤コンテナとして機能するスライダーを有する開放部材と、スライダーの下端部を塞ぎ、上キャップの分離時に、スライダーと分離される底面栓とを備える容器の栓において、
底面栓は、スライダーの端部の内側に嵌着され、内側を塞ぐように機能する挿入部と、
スライダーの下端部をシーリングするように挿入部の端部の側面方向に延びたシーリングリングと、
挿入部の上端部のエッジにおいて、挿入部の径方向外側に広がる方向に斜めに突出した停止バーと、を備える。
【発明の効果】
【００２０】
以上のように、本発明は、容器に結合する内部キャップを有する貯蔵部材と、貯蔵部材と結合し、添加剤収容コンテナとして機能するスライダーを有する上キャップである開放部材と、スライダーの下端部を底面栓で塞いだ状態で組立て、使用時には内部キャップの下端部で係止突起に底面栓が固定され、スライダーの添加物が容器の内部に添加される容器の栓において、
底面栓は、スライダーを塞ぐ底面栓の上部が塞がった管体形状とされ、側壁にシーリングリングとフックとで内部キャップの係止突起に固定結合され、最初の組立てを容易にするように、フック部分に係止突起に当接して組立てる時、外径が縮小するように機能する収縮誘導溝を設けて組立てられるようにすることで組立てを容易にし、フックの固定力で底面栓と内部キャップが分離されないように作用し、安全性を最大化する。
【００２１】
本発明は、内部キャップに上下に２つの係止突起を設け、対応する底面栓の延長管には２つのフックを設け、２つのフックを形成しても縮径を可能とする収縮誘導溝を設けたため、二重フック作用を可能として安定性を最大化させる。
【００２２】
本発明は、底面栓と内部キャップが底面栓の上下でフック結合する方式でなく、底面栓の延長管の側面で結合する方式で構成し、底面栓を管体形状で具現可能とし、材料を減らしてコスト節減を図ることができるようにし、挿入部の下端部の外部にはシーリング機能をするシーリングリングを設け、シーリング機能を発揮しながら係止突起との上部結合を可能とし、管体形状の底面栓方式であるにも拘わらず、シーリング性と結合力を増大させるようにする。
【００２３】
本発明は、スライダーの端部の内側に嵌着され、内側を塞ぐように機能する挿入部と、
スライダーの下端部をシーリングするように挿入部の端部の側面方向に延びたシーリングリングと、
挿入部の上端部のエッジには、挿入部の径方向外側に広がる方向に斜めに突出した停止バーと、を形成した底面栓を備え、結合時にはプッシャアームで押されてスライダーと結合され、使用後には内径が大きくなるように本来の形状に戻って再結合を防止し、再使用を防止するようにする。
【図面の簡単な説明】
【００２４】
【図１】従来の容器栓の分解斜視図である。
【図２】図１の組立て過程を示す断面図である。
【図３】図１の組立て断面図である。
【図４】図３の使用状態を示す断面図である。
【図５】開放部材と貯蔵部材を一体に容器本体から分離した状態の断面図である。
【図６ａ】従来の一例を示す組立て状態の断面図である。
【図６ｂ】図６ａに示す貯蔵部材の斜視図である。
【図６ｃ】図６ａに示す開放部材に添加剤を満たす状態を示す断面図である。
【図６ｄ】添加材を満たした開放部材に貯蔵部材を結合した状態を示す説明図である。
【図７ａ】本発明の使用状態の断面図である。
【図７ｂ】図７ａに示す底面栓の拡大断面図である。
【図７ｃ】図７ａに示す底面栓の他の例を示す拡大断面図である。
【図７ｄ】図７ａに示す底面栓のさらに他の例を示す拡大断面図である。
【図８】本発明の他の例を示す使用状態の断面図である。
【図９】図８の要部拡大断面図である。
【図１０ａ】本発明の開放部材に添加剤を満たす状態を示す断面図である。
【図１０ｂ】図１０ａに添加剤を満たし、底面栓でスライダーを塞いだ断面図である。
【図１０ｃ】底面栓で塞いだ開放部材を貯蔵部材と結合する状態を示す断面図である。
【図１０ｄ】開放部材の底面栓を貯蔵部材の係止突起に結合した状態を示す断面図である。
【図１０ｅ】開放部材を回して添加剤を添加する状態を示す断面図である。
【図１１】本発明の貯蔵部材の一例を示す斜視図である。
【図１２】本発明の開放部材の斜視図である。
【図１３】本発明の組立て状態を示す半断面分解図である。
【図１４】本発明の結合状態の斜視図である。
【図１５】本発明の他の例を示す底面栓の拡大断面図である。
【図１６】図１５の他の例を示す断面図である。
【図１７】図１５のまた他の例を示す斜視図である。
【図１８】図１５を用いた本発明の他の例を示す断面図である。
【図１９】本発明のまた他の例を示す説明図である。
【図２０】図１９の組立て状態を示す断面図である。
【図２１】図２０に示す貯蔵部材の斜視図である。
【発明を実施するための形態】
【００２５】
本発明は、請求項１のように、容器の入口の内部に配置される管体形状の内部キャップの下端部の側面に排出口を有する下キャップである貯蔵部材と、内部キャップの内側に案内される添加剤コンテナとして機能するスライダーを有する開放部材と、スライダーの下端部を塞ぎ、上キャップの分離時に、スライダーと分離される底面栓とを備える容器の栓において、
底面栓は、スライダー５３６の端部の内側に嵌着され、内側を塞ぐように機能する挿入部５５６と、
スライダー５３６の下端部をシーリングするように挿入部５５６の端部の側面方向に延びたシーリングリング５５１と、
シーリングリング５５１の下方に延び、外面押圧時に縮径するように少なくとも一箇所において長手方向にカットされた収縮誘導溝５５４を有する延長管５５７と、
延長管５５７の外側において径方向外側に広がるように突出し、内部キャップ５２６の端部側の内側面から中央側に突出した係止突起５２６ｂの底面に係止するフック５５３と、を備える容器の栓である。
【００２６】
本発明は、また、請求項８のように、容器の入口の内部に配置される管体形状の内部キャップの下端部の側面に排出口を有する下キャップである貯蔵部材と、内部キャップの内側に案内される添加剤コンテナとして機能するスライダーを有する開放部材と、スライダーの下端部を塞ぎ、上キャップの分離時に、スライダーと分離される底面栓とを備える容器の栓において、
底面栓は、スライダー５３６の端部の内側に嵌着されて内側を塞ぐように機能する挿入部５５６と、
スライダー５３６の下端部をシーリングするように挿入部５５６の端部の側面方向に延びたシーリングリング５５１と、
挿入部５５６の上端部のエッジにおいて、挿入部５５６の径方向外側に広がる方向に斜めに突出した停止バー６００と、を備える容器の栓である。
【００２７】
本発明の底面栓５５０の一例としては、図７ａ及び図７ｂのように、スライダー５３６の内側に嵌着され、内側を塞ぐように機能する挿入部５５６と、
スライダー５３６の下端部をシーリングするように挿入部５５６の下端部の側面に延びたシーリングリング５５１と、
シーリングリング５５１の下方に延び、縮径するように少なくとも一箇所において長手方向にカットされた収縮誘導溝５５４を有する延長管５５７と、
延長管５５７の外側に径方向外側に広がるように突出し、内部キャップの下端部の内側の係止突起５２６ｂの底面に係止するフック５５３とを備える。
【００２８】
シーリングリング５５１の上面と挿入部５５６との間には、図７に示すように、一定の深さのシーリング溝５５２が設けられ、これと結合するための対応するスライダー５３６の下端部には、嵌着状態で結合するシーリング突輪部５３６ａが形成されている。
【００２９】
図７ｃは、本発明の他の例であって図７ｂと同様であるが、図８及び図９のように、内部キャップ５２６の係止突起５２６ｂの下方の部位に補助係止突起５２６ｃが設けられ、
対応する延長管５５７には、補助係止突起５２６ｃに係止して固定力が増加するように作用する補助フック５５５が設けられている。
【００３０】
これを使用する場合は、図７ｂは図７ａのように作用し、図７ｃは図８及び図９のように作用する。
【００３１】
即ち、図７及び図１０のように使用する場合、初期結合時には、スライダー５３６が図１０ａのように上方にくるように裏返した状態で添加剤（液状、パウダーまたは顆粒状のうち選択使用可能な添加剤ａ１）を入れて、図１０ｂのように底面栓５５０を用いて塞ぐ。すると、湾曲部５５６ａが内部キャップ５２６の下端部の内側を通り、底面栓５５０の挿入部５５６は、スライダー５３６の内側に圧入された状態で嵌着され、結合される。すると、シーリングリング５５１のシーリング溝５５２にスライダー５３６の下端部のシーリング突輪部５３６ａが同時に嵌着された状態で仕上げられるため、シーリング性を最大化させる。
【００３２】
次いで、開放部材５３０を上下に裏返して、図１０ｃのように、貯蔵部材５２０の内部キャップ５２６の内側において長手方向に押して結合させると、底面栓５５０の部分が下方に向かうため、底面栓５５０のフック５５３が先に内部キャップ５２６の下端部の内側面において突出した係止突起５２６ｂの上面に当接して下への移動に抵抗するが、底面栓５５０の下端部に延びた延長管５５７に形成した収縮誘導溝５５４によってフック５５３部分の外径が縮小し、係止突起５２６ｂの内側を通過するように作用する。これは、フック５５３を延長管５５７の外面に形成しても、外径が係止突起５２６ｂの内径以下に減って結合するため、内部キャップ５２６にクラックが発生せずに組立てを可能とする要因になる。
【００３３】
このように、開放部材５３０と貯蔵部材５２０を底面栓５５０と共に組立てた状態で一般の容器にキャッピングして出荷すると、使用者が使用する時には、図７ａ、図８、図１０ｅのように開放部材５３０が容器本体５１０に結合された貯蔵部材５２０と分離されるため、スライダー５３６に収容された添加剤が排出口５２６ａを通過して容器本体５１２０の内部に添加される。このように開放部材５３０を分離する場合、底面栓５５０は、シーリングリング５５１とフック５５３による空間に係止突起５２６ｂが結合するように作用するため、延長管５２７の雄ねじ５２４ｂを通じて開放部材５３０を回転させてねじを外すと、開放部材５３０が上昇してスライダー５３６の下端部が、固定されていた底面栓５５０と分離されて内部の添加剤が容器本体の内部に添加されるように作用する。この場合、底面栓５５０は、延長管５５７の外周部にシーリングリング５５１とフック５５３を設け、その間の空間に係止突起５２６ｂが保持されるため、結合された状態ではフック５５３の外径が縮小せず、強い固定力を維持して底面栓５５０が分離されず、使用者が安心して容器の内容物を飲めるように作用する。
【００３４】
図７ｃは、延長管５５７に２つのフック５５３、５５５を設けた構成をなし、内部キャップ５２６にはまた２つの係止突起５２６ｂ、５２６ｃを設けているため、二重で係止作用し、使用時に分離されることを防止し、安定性を最大化させ、作用もまた同様であるので、作用の説明は省略する。
【００３５】
ただし、図９のように、補助係止突起５２６ｃは、係止突起５２６ｂより突出長さが長く、フック５５３は補助フック５５５より長さが短くて、下方の短い補助フック５５５によって順に係止突起５２６ｂ、５２６ｃを介して初期結合を可能とし、必要時、外径が小さくなるように収縮誘導溝５５４の収縮作用力を受けて結合する。
【００３６】
しかし、結合後、分離して使用する時には、二重に結合しているため、底面栓５５０’は、結合が可能であっても分離が不可能となるように作用し、開放部材５３０を分離した後、内容物を飲む時、内容物と共に底面栓が分離されることを防止し、安定性を最大化させる。上記において本発明は、図１１、図１２、及び図１４に示すように、貯蔵部材５２０の内部キャップ５２６の端部の内側壁に形成した係止突起５２６の下端部には一定の深さのブリッジ５２８を設け、ブリッジ５２８が一定の深さを有するようにするためのブリッジリブ５２９が形成され、底面栓５５０が容器本体に落下することを防ぐように構成することが良い。また、本発明において、図７ｄに示すフック５５３の両側の収縮誘導溝５５４の対応部位には摩擦減少面５５３ａを形成し、延長管５５７が押されることによる縮径を容易にするように構成することが良い。
【００３７】
本発明の他の例として、本発明は、図１５乃至図２０のように、底面栓５５０の挿入部５５６の上面エッジにおいて上方に斜めに突出し、端部が挿入部５５６の外径より大きくなるように延びた停止バー６００を形成する。
【００３８】
停止バー６００は、図１９に示すように、結合時にはクリップ機能を果たしながら押してくれるプッシャアーム６１０によって停止バー６００が径方向内側に押されるため、スライダー５３６と自然に結合してキャッピングが行われ、
キャッピング後、出荷されて、使用者が容器本体の内容物を飲むために開放部材５３の上部キャップ５３４を分離させると、弾性力によって復元した停止バー６００が図１８のように広げられ、これは、スライダー５３６の再結合を根本的に阻止し、再使用を防止するように機能し、安全事故の予防に寄与する。
【産業上の利用可能性】
【００３９】
以上のように、本発明は、底面栓は、スライダーを塞ぐ底面栓を上部が塞がった管体形状とし、側壁にシーリングリングとフックとで内部キャップの係止突起に固定結合し、最初の組立てを容易にするように、フック部分に係止突起に当接して組立てる時、外径が縮小するように機能する収縮誘導溝を設けて組立てられるようにすることで組立てを容易にし、フックの固定力で底面栓と内部キャップが分離されないように作用し、安全性を最大化する。
【００４０】
本発明は、内部キャップに上下に２つの係止突起を設け、対応する底面栓の延長管には２つのフックを設け、２つのフックを形成しても縮径を可能とする収縮誘導溝を設けたため、二重フック作用を可能とし、安定性を最大化させる。
【００４１】
本発明は、底面栓を管体形状で具現可能とし、材料を減らしてコスト節減を図ることができるようにし、挿入部の下端部の外部にはシーリング機能をするシーリングリングを設けてシーリング機能をしながら係止突起との上部結合を可能として、管体形状の底面栓方式であるにも拘わらず、シーリング性と結合力を増大させるようにする。
【００４２】
本発明は、挿入部の上端部のエッジに挿入部の径方向外側に広がる方向に斜めに突出した停止バーを形成した底面栓を含むように構成し、結合時にはプッシャアームで押されてスライダーと結合し、使用後には内径が大きくなるように元の形状に戻って再結合を防止し、再使用を防止するようにする。
【図１】
2013535378.tif 000003
【図２】
2013535378.tif 000004
【図３】
2013535378.tif 000005
【図４】
2013535378.tif 000006
【図５】
2013535378.tif 000007
【図６ａ】
2013535378.tif 000008
【図６ｂ】
2013535378.tif 000009
【図６ｃ】
2013535378.tif 000010
【図６ｄ】
2013535378.tif 000011
【図７ａ】
2013535378.tif 000012
【図７ｂ】
2013535378.tif 000013
【図７ｃ】
2013535378.tif 000014
【図７ｄ】
2013535378.tif 000015
【図８】
2013535378.tif 000016
【図９】
2013535378.tif 000017
【図１０ａ】
2013535378.tif 000018
【図１０ｂ】
2013535378.tif 000019
【図１０ｃ】
2013535378.tif 000020
【図１０ｄ】
2013535378.tif 000021
【図１０ｅ】
2013535378.tif 000022
【図１１】
2013535378.tif 000023
【図１２】
2013535378.tif 000024
【図１３】
2013535378.tif 000025
【図１４】
2013535378.tif 000026
【図１５】
2013535378.tif 000027
【図１６】
2013535378.tif 000028
【図１７】
2013535378.tif 000029
【図１８】
2013535378.tif 000030
【図１９】
2013535378.tif 000031
【図２０】
2013535378.tif 000032
【図２１】
2013535378.tif 000033
【国際調査報告】
2013535378.tif 000034
2013535378.tif 000035
2013535378.tif 000036
2013535378.tif 000037
2013535378.tif 000038
2013535378.tif 000039
2013535378.tif 000040
2013535378.tif 000041